(57)【要約】【課題】  ヘッド幅を可変とすることにより、大きいヘッド幅による効率よい清掃と、ヘッド幅を狭めた状態での狭い部分の清掃とを、両方行うことができる機能性に勝れたモップを提供する。【解決手段】  拭布５を装着するヘッド４の左右両側壁４ａ，４ａが、弾性変形可能な弧状のサイドフレーム９，９により形成され、これらのサイドフレーム９，９の弾性変形によってヘッド幅が狭まるようになっており、また、上記サイドフレーム９，９の先端には支持部１４が形成され、この支持部１４がセンターフレーム８に変位自在にガイドされることにより、上記サイドフレーム９，９の弾性変形に伴う長さの変化分が吸収される。【選択図】        図１
2005278683.tif 000002
【特許請求の範囲】
【請求項１】
清掃用の拭布を着脱自在に装着するための盤状に広がった輪郭形状を有するヘッドと、該ヘッドに連結された柄とを有し、上記ヘッドの両側壁が、清掃時に側方から加わる外力によって互いの間隔が狭まる方向に弾力的に変形可能であることを特徴とするモップ。
【請求項２】
上記ヘッドが、該ヘッドの中央部を延びるセンターフレームと、このセンターフレームの両側に位置してヘッドの側壁を形成する複数の弾性変形可能な弧状のサイドフレームとを有していて、これらのサイドフレームの基端部は上記センターフレームに連結され、先端部は該サイドフレーム自身の弾性変形に追随して変位自在であることを特徴とする請求項１に記載のモップ。
【請求項３】
上記各サイドフレームの先端部が上記センターフレームの前端面より前方の位置まで延びていて、該先端部に、上記センターフレームの前端面側に向けて延びる支持部が形成され、この支持部が上記センターフレームに変位自在にガイドされていることを特徴とする請求項２に記載のモップ。
【請求項４】
上記サイドフレームの支持部が、上記センターフレームの前端面の外側に位置する第１部分と、該センターフレームにガイドされた第２部分とを有していて、一対のサイドフレームの上記第１部分が相互に近接して配置されることにより、ヘッドに装着した上記拭布の一部を挟持する挟持機構を構成していることを特徴とする請求項３に記載のモップ。
【請求項５】
上記センターフレームにおける上記サイドフレームの基端部が連結されている側の端部に、上記柄が一体に設けられていることを特徴とする請求項２から４の何れかに記載のモップ。
【請求項６】
上記ヘッドが、上記センターフレームの長手方向一半部側と他半部側とにそれぞれ上記サイドフレームを有していて、該センターフレームの中央部に上記柄が起倒自在に連結されていることを特徴とする請求項２から５の何れかに記載のモップ。
【発明の詳細な説明】
【技術分野】
【０００１】
本発明は、ヘッドに拭布を取り付けて清掃するモップに関するものであり、更に詳しくは、ヘッド幅を変更可能としてモップに関するものである。
【背景技術】
【０００２】
例えば、柄の先端に取り付けられたヘッドに糸束や不織布シート等からなる拭布を装着し、床やテーブルなどの対象部位を払拭清掃するようにしたモップは、従来より各種形態のものが提案されている。この種のモップは、通常、上記ヘッドが一方向に細長い形をしていて、その下面で拭布を対象部位に押し付けるようになっているが、広い床面を効率よく清掃するためには、上記ヘッドの横幅即ちヘッド幅をある程度大きくすることによりヘッド面積を大きくし、拭布の床面に対する接触面積を大きくする必要がある。
ところが、ヘッド幅を大きくすると、家具と壁との間に形成される隙間のような狭い場所に該ヘッドを差し込むことができないため、使用場所が制限され、清掃条件に応じてヘッドの横幅が異なる複数種類のモップを使い分けなければばらない。
【発明の開示】
【発明が解決しようとする課題】
【０００３】
本発明の課題は、ヘッド幅を可変とすることにより、大きいヘッド幅による効率よい清掃と、ヘッド幅を狭めた状態での狭い部分の清掃とを、両方行うことができる機能性に勝れたモップを提供することにある。
【課題を解決するための手段】
【０００４】
上記課題を解決するため、本発明によれば、清掃用の拭布を着脱自在に装着するための盤状に広がった輪郭形状を有するヘッドと、該ヘッドに連結された柄とを有し、上記ヘッドの両側壁が、清掃時に側方から加わる外力によって互いの間隔が狭まる方向に弾力的に変形可能であることを特徴とするモップが提供される。
【０００５】
本発明においては、上記ヘッドが、該ヘッドの中央部を延びるセンターフレームと、このセンターフレームの両側に位置してヘッドの側壁を形成する複数の弾性変形可能な弧状のサイドフレームとを有していて、これらのサイドフレームの基端部は上記センターフレームに連結され、先端部は該サイドフレーム自身の弾性変形に追随して変位自在であるように構成することができる。
【０００６】
この場合、上記各サイドフレームの先端部が上記センターフレームの前端面より前方の位置まで延びていて、該先端部に、上記センターフレームの前端面側に向けて延びる支持部が形成され、この支持部が上記センターフレームに変位自在にガイドされていることが望ましい。
【０００７】
また、本発明において好ましくは、上記支持部は、上記センターフレームの前端面の外側に位置する第１部分と、該センターフレームにガイドされた第２部分とを有していて、一対のサイドフレームの上記第１部分が相互に近接して配置されることにより、ヘッドに装着した上記拭布の一部を挟持する挟持機構を構成していることである。
【０００８】
本発明のモップの１つの具体的な形態によれば、上記センターフレームにおける上記サイドフレームの基端部が連結されている側の端部に、上記柄が一体に設けられている。
【０００９】
本発明のモップの他の具体的な形態によれば、上記ヘッドが、上記センターフレームの長手方向一半部側と他半部側とにそれぞれ上記サイドフレームを有していて、該センターフレームの中央部に上記柄が起倒自在に連結されている。
【発明の効果】
【００１０】
本発明のモップによれば、ヘッドの左右両側壁を互いの間隔が狭まる方向に弾力的に変形可能とすることにより、清掃時に側方から加わる外力によってモップ幅が自動的に変化するように構成したので、広い床面部分は、大きいヘッド幅によって十分なヘッド面積とした状態で効率よく清掃することができ、また、狭い部分は、その間隔に応じてヘッド幅が変化することにより円滑に清掃することができ、機能性に勝れる。
【発明を実施するための最良の形態】
【００１１】
図１〜図３は本発明に係るモップの第１実施形態を示すもので、このモップ１Ａは、ハンドモップとして構成されており、片手で握れる程度に短尺に形成された柄３と、清掃用の拭布５を着脱自在に装着するための略盤状に広がる輪郭形状を備えたヘッド４とを有している。
【００１２】
上記ヘッド４は、その中央部を直線的に延びるセンターフレーム８と、このセンターフレーム８の左右両側に位置してヘッド４の両側壁を形成する一対のサイドフレーム９，９とを有している。上記センターフレーム８は、矩形の断面形状を有するフラットで前後方向に細長いプレート状をなすもので、上記ヘッド４の中央部を該ヘッド４の先端近くまで延びており、このセンターフレーム８の後端部に上記柄３が形成され、それらは合成樹脂で一体に成形されている。また、これらの柄３とセンターフレーム８との間には角度が付けられ、該柄３がセンターフレーム８に対してやや上方に立ち上がった状態に傾斜している。
【００１３】
上記サイドフレーム９，９は、ヘッド４の側面外方に向けて凸形に湾曲する弧状の弾性部材であって、該ヘッド４の左右両側壁４ａ，４ａを形成するものであり、図２に鎖線で示すように、互いの間隔が狭まる方向に向けて弾性的に変位可能なるように構成されている。換言すれば、上記サイドフレーム９，９は、湾曲の度合いが小さくなる方向に向けて弾性変形可能なるように構成されている。これらのサイドフレーム９，９の基端部は、上記センターフレーム８の後端部８ａ側の左右両側面に、支軸１１を中心にして回動可能に連結されている。即ち、各サイドフレーム９，９の基端部には上記支軸１１が形成され、これに対して上記センターフレーム８の側面には、軸受部１２が形成され、この軸受部１２に上記支軸１１を回動自在に嵌合させることにより、上記サイドフレーム９，９がセンターフレーム８に回動自在に連結されており、これにより、サイドフレーム９，９の弾性変形が円滑に行われ得るようになっている。
【００１４】
上記各サイドフレーム９の先端部は、上記センターフレーム８の前端面８ｂよりも前方の位置まで延びていて、この先端部に、該センターフレーム８の前端面側に向けて延びる支持部１４が形成されている。この支持部１４は、上記センターフレーム８の軸線に沿って延びていて、該センターフレーム８の前端面８ｂの外側に位置する第１部分１４ａと、該センターフレーム８のガイド部８ｂ内に嵌合して変位自在にガイドされた第２部分１４ｂとからなっており、一対のサイドフレーム９，９の第１部分１４ａ，１４ａが相互に近接して配置されることにより、ヘッド４に装着した上記拭布５の一部を挟持する挟持機構を形成している。これらの第１部分１４ａ，１４ａの対向面には、先端が尖った略Ｖ字形断面の突条１４ｃを形成し、両突条１４ｃ，１４ｃの先端部間に上記拭布５の一部を弾力的に挟持させるように構成することが望ましい。
【００１５】
なお、上記サイドフレーム９と支持部１４とは、弾性を有する合成樹脂又は金属で一体に形成することが望ましいが、それらを別々に形成して相互に連結しても良く、その連結は回動自在であっても良い。また、それらを別々に形成する場合は、何れか一方を金属で形成し、他方を合成樹脂で形成することもできる。あるいは、上記柄３とサイドフレーム９とを合成樹脂で一体に形成し、別に形成した支持部１４をサイドフレーム９に取り付けるようにしても良い。
また、図示した実施例では、図３から分かるように、上記サイドフレーム９，９が下方に向けて僅かに湾曲していて、ヘッド４の下面外周部分での拭布５の押圧が確実に行われるようにしているが、サイドフレーム９，９の下面は平坦であっても良い。
【００１６】
上記拭布５としては、例えば図４に示すように、極細繊維及び超極細繊維の何れか一方又は両方を含む不織布シートでミトン状に形成したものを好適に使用することができる。この拭布５は、上記ヘッド４に適合するような形状及び寸法を持った袋状に形成されていて、その先端部中央位置に、袋の表裏面を部分的に縫着、一体化して縫着部５ａを形成したもので、図５に示すように、この拭布５を上記ヘッド４に被せ、上記縫着部５ａを一対のサイドフレーム９，９の第１部分１４ａ，１４ａの間に挟み込むことによって該ヘッド４に固定される。この場合、図示したように袋の開口部分を若干狭めておくことにより、拭布５がヘッド４に良好にフィットして清掃し易くなると同時に、ヘッド４に確実に係止して脱落の防止にもなる。一方、この拭布５をヘッド４に装着するときは、上記サイドフレーム９，９を弾性変形させながら装着することにより、開口部分が狭くなっていてもその装着は容易に行うことができる。
【００１７】
上記拭布５を取り付けたモップ１Ａは、床や机、テーブル、家具などの表面に上記拭布５を押し付けて払拭清掃する。この場合、上記サイドフレーム９，９がヘッド４の側面外方に向けて凸形に湾曲していて、該ヘッド４の横幅が大きく形成されているため、該ヘッド４は十分大きなヘッド面積を有することになり、従って、清掃対象部位に対する拭布５の接触面積も大きくなるため、清掃効率は向上する。一方で、例えば家具と壁との間の狭い隙間内の床面を清掃するような場合には、その隙間にヘッド４を押し込むと、左右のサイドフレーム９，９が両側から押されることによって図２に鎖線で示すように内側に向けて弾性変形し、その隙間に応じてヘッド４の側壁４ａ，４ａ間の間隔即ちヘッド幅が狭まる。このため、狭い隙間内であっても自由に清掃することができる。このとき、上記サイドフレーム９，９の先端部においては、支持部１４の第２部分１４ｂがセンターフレーム８にガイドされてヘッド４の前方に向けて変位し、上記サイドフレーム９，９の弾性変形に伴う長さの変化分が吸収される。即ち、上記サイドフレーム９，９の弾性変形に追随して上記第２部分１４ｂが変位することにより、この変位が逃げとなって上記サイドフレーム９，９の弾性変形が円滑に行われることになる。
【００１８】
上記第１実施形態では、サイドフレーム９，９自身が弾性変形するように構成されているが、図６に示す第２実施形態のモップ１Ｂのように、左右一対のサイドフレーム９ａ，９ａを、柄３のセンターフレーム８に対して接離自在なるように連結し、それぞれをばね２０で外方に向けて弾発することにより、これらのサイドフレーム９ａ，９ａが両側から押されたとき、上記ばね２０を圧縮することによって両サイドフレーム９ａ，９ａが互いの間隔が狭まる方向に弾力的に変位するように構成することもできる。図示の例では、上記サイドフレーム９ａ，９ａが複数のアーム２１によって上記センターフレーム８に連結され、各アーム２１がばね２０で外側に向けて弾発されているが、一対のサイドフレーム９ａ，９ａ同士を伸縮自在のアーム等を介して直接結合し、ばねで離反する方向に弾発するように構成しても良い。
【００１９】
なお、この第２実施形態においては、必ずしも上記サイドフレーム９ａ，９ａが弾性部材である必要はなく、剛性の大きい硬質部材であっても良い。また、該サイドフレーム９ａ，９ａの側面の形状は弧状でなくても良く、直線状をしていても良く、更には、全体としてフラットな下面を有するプレート状の部材でこのサイドフレームを形成することもできる。
【００２０】
図７は本発明に係るモップの第３実施形態を示すもので、このモップ１Ｃは、センターフレーム３３の長手方向一半部側と他半部側とにそれぞれサイドフレーム３４，３４を一対ずつ設けた左右対象形のヘッド３０と、上記センターフレーム３３の中央部に起倒自在なるように連結された柄３１とで構成されている。更に詳しく説明すると、上記ヘッド３０は、左右２つのヘッド部分３０ａ，３０ａを有していて、各ヘッド部分３０ａは、第１実施形態のモップ１Ａにおけるヘッド４と同様の構成を有している。即ち、上記ヘッド４のセンターフレーム８に対応するセンターフレーム部分３３ａと、サイドフレーム９，９に対応する上記２つのサイドフレーム３４，３４とで構成されており、これら２つのヘッド部分３０ａ，３０ａを左右対象に配置してセンターフレーム部分３３ａ，３３ａの端部同士を結合、一体化することにより、上記ヘッド３０が形成されている。
なお、上記各ヘッド部分３０ａ，３０ａの上記以外の具体的構成については、第１実施形態のモップ１Ａのヘッド４と実質的に同じであるから、説明の重複を避けるため、主要な同一構成部分に第１実施形態と同一の符号を付してその説明は省略する。
【００２１】
上記柄３１は、その先端に接続された連結部材３２を介して上記センターフレーム３３の軸受部３３ｂに連結されている。上記連結部材３２は、上記軸受部３３ｂにヘッド３０の軸線と平行な第１軸線の回りに回動自在に取り付けられた第１部材３２ａと、この第１部材３２ａに上記第１軸線と直交する第２軸線の回りに回動自在に取り付けられた第２部材３２ｂとからなっていて、これらの第１部材３２ａ及び第２部材３２ｂを介することによって上記柄３１が、上記センターフレーム３３に、前後及び左右の両方向に起倒自在なるように取り付けられている。
【００２２】
上記モップ１Ｃのヘッド３０には、図７に鎖線で示したように、該ヘッド３０の全長にわたる長さの拭布３６が装着される。この拭布３６は、下面が払拭面となっていて、図８から明らかなように、上面に左右２つのポケット部３７，３７を有し、これらのポケット部３７，３７の内部に上記ヘッド３０の左右のヘッド部分３０ａ，３０ａを挿入することによって上記ヘッド３０に装着される。また、上記ポケット部３７，３７の先端中央位置には、上下のシートを部分的に縫着、一体化することにより縫着部３７ａを形成し、この縫着部３７ａを一対のサイドフレームにおける支持部１４，１４の間に挟み込むようにする点は、上記第１実施形態の場合と同じである。
【００２３】
上記拭布３６の下面の払拭面は、通常の平布のような平らな面であっても良いが、図示したように多数のモップ糸３８を外周部又は下面全体に取り付けたものであっても良い。この点は、上記第１実施形態に使用する拭布５の場合も同様である。また、これらの拭布５，３６とモップ糸３８とは、極細繊維及び超極細繊維の何れか一方又は両方で形成することが望ましく、また、着塵剤を含浸させることもできる。
【図面の簡単な説明】
【００２４】
【図１】本発明に係るモップの第１実施形態を示す拭布を装着しない状態での斜視図である。
【図２】図１の平面図である。
【図３】図２の側面図である。
【図４】拭布の一例を示す斜視図である。
【図５】拭布を装着した状態でのモップの平面図である。
【図６】本発明に係るモップの第２実施形態を示す拭布を装着しない状態での平面図である。
【図７】本発明に係るモップの第３実施形態を示す斜視図である。
【図８】第３実施形態のモップに使用する拭布の平面図である。
【符号の説明】
【００２５】
１Ａ，１Ｂ，１Ｃ      モップ
３，３１      柄
４，３０      ヘッド
４ａ      側壁
５，３６      拭布
８，３３      センターフレーム
９，９ａ，３４      サイドフレーム
１４      支持部
１４ａ      第１部分
１４ｂ      第２部分
【図１】
2005278683.tif 000003
【図２】
2005278683.tif 000004
【図３】
2005278683.tif 000005
【図４】
2005278683.tif 000006
【図５】
2005278683.tif 000007
【図６】
2005278683.tif 000008
【図７】
2005278683.tif 000009
【図８】
2005278683.tif 000010